【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
流体導出入システムであって、
ハウジングであるとともに、１つまたは複数のポンプと、前記ポンプを駆動し得るよう構成されたコントローラと、を備えたハウジングと；
カテーテルアセンブリであるとともに、基端部と先端部とを有したカテーテルボディと、前記先端部のところに配置された動作デバイスと、前記基端部に対して流体連通した注入システムと、を備えたカテーテルアセンブリと；
を具備してなり、
前記注入システムが、閉塞部材を備え、
この閉塞部材が、第１状態においては、前記ハウジングから離間し得るよう構成されるとともに、第２状態においては、前記ハウジングに対して前記注入システムを少なくとも部分的に固定し得るよう構成され、
前記第２状態において前記閉塞部材が前記ハウジングに対して係合した際には、前記注入システムが、前記ポンプに対して動作可能に係合される、
ことを特徴とするシステム。
【請求項２】
請求項１記載のシステムにおいて、
前記ハウジングが、開口を備え、
前記閉塞部材が、前記閉塞部材の一部が前記開口内に挿入されることによって、前記ハウジングに対して係合される、
ことを特徴とするシステム。
【請求項３】
請求項２記載のシステムにおいて、
前記閉塞部材が、第３状態においては、前記ハウジングに対して前記注入システムを固定し得るよう構成されている、
ことを特徴とするシステム。
【請求項４】
請求項３記載のシステムにおいて、
前記閉塞部材が、前記ハウジングに対して相対的に前記閉塞部材を回転させることによって、前記ハウジングに対して前記注入システムを固定し得るよう構成されている、
ことを特徴とするシステム。
【請求項５】
請求項３記載のシステムにおいて、
前記閉塞部材が、係合解除部材を備え、
この係合解除部材が、前記第３状態から前記第２状態へと前記閉塞部材を移行させ得るよう構成され、これにより、前記閉塞部材が、前記ハウジングに対して前記注入システムを部分的に固定する、
ことを特徴とするシステム。
【請求項６】
請求項１記載のシステムにおいて、
前記第２状態において前記閉塞部材を前記ハウジングに対して係合させた際には、前記ハウジングと前記閉塞部材の電気的構成部材との間に、電気的接続が形成される、
ことを特徴とするシステム。
【請求項７】
請求項６記載のシステムにおいて、
前記電気的接続が、前記注入システムが前記ポンプに対して動作可能に係合されるのと同時に、形成される、
ことを特徴とするシステム。
【請求項８】
請求項１記載のシステムにおいて、
前記注入システムが、
前記カテーテルボディに対して流体連通された廃棄流体ラインであるとともに、前記カテーテルアセンブリから廃棄流体を導出し得るよう構成された廃棄流体ラインと、
前記カテーテルボディに対して流体連通された第１注入流体ラインであるとともに、前記カテーテルアセンブリ内へと流体を供給し得るよう構成された第１注入流体ラインと、
を備えている、
ことを特徴とするシステム。
【請求項９】
請求項８記載のシステムにおいて、
前記カテーテルアセンブリが、さらに、長尺ボディを備え、
前記カテーテルボディが、前記長尺ボディ内に配置され、
前記注入システムが、前記長尺ボディに対して流体連通された第２注入流体ラインを備えている、
ことを特徴とするシステム。
【請求項１０】
流体導出入システムのための着脱可能なインターフェースであって、
この着脱可能なインターフェースが、
コンソールハウジングのインターフェース開口内に挿入され得るサイズおよび形状とされたインターフェースボディと；
このインターフェースボディ上に配置された電気的構成部材と；
前記インターフェースボディ上に配置された閉塞ベッドと；
この閉塞ベッドの近傍において前記インターフェースボディ上に配置されたチューブセグメントと；
を具備し、
前記インターフェースボディが、前記インターフェースボディが前記コンソールハウジングの前記インターフェース開口内に挿入されたときに、前記コンソールハウジング内のポンプが前記チューブセグメントおよび前記閉塞ベッドに対して動作可能に係合するような、なおかつ、前記コンソールハウジング内の電気的相互接続部材が前記インターフェースボディ上の前記電気的構成部材に対して電気的に接続されるような、寸法とされている、
ことを特徴とする着脱可能なインターフェース。
【請求項１１】
請求項１０記載の着脱可能なインターフェースにおいて、
さらに、ロック機構を具備し、
このロック機構が、前記インターフェースボディの一部が前記インターフェース開口に対して相対的に回転駆動されたときには、前記インターフェースボディを、前記コンソールハウジングに対して固定的に連結する、
ことを特徴とする着脱可能なインターフェース。
【請求項１２】
請求項１１記載の着脱可能なインターフェースにおいて、
前記インターフェースボディが、さらに、回転可能なキャップと、突起と、この突起の少なくとも一部を受領し得るサイズおよび形状とされたロック開口と、を備え、
前記ロック機構が、前記キャップを回転させる内部カムを備え、
前記キャップが回転駆動されたときには、前記内部カムが、前記突起を、前記ロック開口を通して押圧して、前記コンソールハウジング内に形成されたグルーブ内へと位置させる、
ことを特徴とする着脱可能なインターフェース。
【請求項１３】
請求項１０記載の着脱可能なインターフェースにおいて、
前記ポンプが、前記ポンプの１つまたは複数のローラが前記閉塞ベッドに対して前記チューブセグメントを押圧したときには、前記チューブセグメントおよび前記閉塞ベッドに対して動作可能に係合される、
ことを特徴とする着脱可能なインターフェース。
【請求項１４】
請求項１０記載の着脱可能なインターフェースにおいて、
前記ポンプが、前記電気的相互接続部材が前記電気的構成部材に対して電気的に接続されるのと同時に、前記チューブセグメントおよび前記閉塞ベッドに対して動作可能に係合される、
ことを特徴とする着脱可能なインターフェース。
【請求項１５】
請求項１０記載の着脱可能なインターフェースにおいて、
さらに、前記電気的構成部材に対して接続された１つまたは複数のセンサを具備している、
ことを特徴とする着脱可能なインターフェース。
【請求項１６】
注入システムをコンソールハウジングに対して動作可能に連結するための方法であって、
前記注入システムのインターフェースボディを前記コンソールハウジングのインターフェース開口内に配置するステップであって、前記インターフェースボディが、閉塞ベッドと、この閉塞ベッドの近傍において前記インターフェースボディ上に設置されたチューブセグメントと、電気的構成部材と、を備える、ステップと；
前記コンソールハウジングのポンプローラが前記閉塞ベッドに対して前記チューブセグメントを押圧するまで、なおかつ、前記コンソールハウジングの電気的相互接続部材が前記インターフェースボディの前記電気的構成部材に対して電気的に接続されるまで、前記インターフェースボディを、前記インターフェース開口を通して挿入するステップと；
を備える、
ことを特徴とする方法。
【請求項１７】
請求項１６記載の方法において、
さらに、
前記インターフェースボディの端部部材を、前記インターフェース開口に対して相対的に回転駆動し、これにより、前記インターフェースボディを前記コンソールハウジングに対して固定するステップ；
を備える、
ことを特徴とする方法。
【請求項１８】
請求項１６記載の方法において、
前記ポンプローラによって前記閉塞ベッドに対して前記チューブセグメントを押圧することと、前記電気的相互接続部材を前記電気的構成部材に対して電気的に接続することとを、同時に行う、
ことを特徴とする方法。
【請求項１９】
カテーテルアセンブリをプライミングするための方法であって、
前記カテーテルアセンブリが長尺ボディと動作デバイスとを備えてており、
当該方法が、
前記カテーテルアセンブリの前記動作デバイスを、プライミング容器内へと、挿入するステップと；
前記プライミング容器の基端部を、前記長尺ボディの先端部に対して固定し、これにより、前記長尺ボディを、前記プライミング容器に対して流体連通させるステップと；
前記長尺ボディを通しておよび前記プライミング容器を通して流体を供給し、これにより、前記カテーテルアセンブリ内のエアを吐出させるステップと；
を備える、
ことを特徴とする方法。
【請求項２０】
請求項１９記載の方法において、
さらに、前記プライミング容器と前記動作デバイスとを相対的に移動させ、これにより、前記動作デバイスを、格納状態へと折り畳むステップ、
を備える、
ことを特徴とする方法。